(57)【要約】【目的】  現在受信中の番組で紹介しているお店の場所を地図上に表したりすることができるディジタル放送受信装置を提供する。【構成】  放送受信装置のＣＰＵ１３は、デコーダ３によって放送波から場所情報を分離すると、「場所情報が存在します。地図を表示しますか。」といったメッセージをＯＳＤ機能によってディスプレイに表示させ、ユーザーが「表示許可」に相当するキーを押下したかどうかを判断する。ＣＰＵ１３は、「表示許可」に相当するキーの押下を検出すると、放送受信映像と共に（例えば、ピクチャ・イン・ピクチャ機能などで）、或いは、放送受信映像に代えて地図をディスプレイに表示する。地図をディスプレイに表示するときには、例えばメモリカード１８などに格納されている地図データを読み出す。【選択図】          図１
2007027998.tif 000002
【特許請求の範囲】
【請求項１】
ディジタル放送を受信するディジタル放送受信装置において、現在受信中の番組に当該番組が紹介している内容に関連する場所を示す情報が付加されている場合にこの場所情報を取り出す手段と、ディスプレイに地図画像を表示するための描画データを地図データに基づいて作成する手段と、前記場所情報を取得できた場合に当該場所を含む描画対象地図データを取得する手段と、前記場所情報が示す地図上の位置をマーキングする画像データを前記描画対象地図データに基づいて作成された描画データに重畳して地図表示を行う手段と、を備えたことを特徴とするディジタル放送受信装置。
【請求項２】
請求項１に記載のディジタル放送受信装置において、ネット接続機能を備えており、前記地図データ又は描画対象地図データをネット上の特定のサイトから取得することを特徴とするディジタル放送受信装置。
【請求項３】
請求項１又は請求項２に記載のディジタル放送受信装置において、前記地図データ又は描画対象地図データが放送波に載せられているときには放送波から前記地図データ又は描画対象地図データを取得することを特徴とするディジタル放送受信装置。
【請求項４】
請求項１乃至請求項３のいずれかに記載のディジタル放送受信装置において、前記地図データが格納される記録媒体を固定的に又は着脱自在に備えたことを特徴とするディジタル放送受信装置。
【請求項５】
請求項１乃至請求項４のいずれかに記載のディジタル放送受信装置において、ユーザーが入力した情報に基づいて受信装置位置を認識するか又は時々刻々と変化する受信装置位置を検出する手段を備えたことを特徴とするディジタル放送受信装置。
【請求項６】
請求項５に記載のディジタル放送受信装置において、当該受信装置の位置と前記場所情報とに基づいて、受信装置の位置から前記場所情報が示す場所へ行くための交通ルートをディスプレイに提示する手段を備えたことを特徴とするディジタル放送受信装置。
【請求項７】
請求項６に記載のディジタル放送受信装置において、前記交通ルートの提示に必要なデータを保持する記憶手段と、前記データを用いて交通ルートの提示に必要な演算処理を実行する手段と、を備えていることを特徴とするディジタル放送受信装置。
【請求項８】
請求項６に記載のディジタル放送受信装置において、ネット接続機能を備えており、受信装置の位置と前記場所情報とをネット上の特定のサイトに送信し、このサイトから返された交通ルートのデータに基づいて前記交通ルートをディスプレイに提示するように構成されたことを特徴とするディジタル放送受信装置。
【請求項９】
ディジタル放送を受信するディジタル放送受信装置において、現在受信中の番組に当該番組が紹介している内容に関連する場所を示す情報が付加されている場合にこの場所情報を取り出す手段と、ディスプレイに地図画像を表示するための描画データを地図データに基づいて作成する手段と、時々刻々と変化する受信装置位置を検出する手段と、目的地へ導くためのルート案内を前記受信装置位置に基づいて行う手段と、を備えており、放送受信により得られた前記場所情報を目的地として前記ルート案内を実行するように構成されたことを特徴とするディジタル放送受信装置。
【請求項１０】
請求項９に記載のディジタル放送受信装置において、ネット接続機能を備えており、前記地図データ又は描画対象地図データをネット上の特定のサイトから取得することを特徴とするディジタル放送受信装置。
【請求項１１】
請求項９又は請求項１０に記載のディジタル放送受信装置において、前記地図データ又は描画対象地図データが放送波に載せられているときには放送波から前記地図データ又は描画対象地図データを取得することを特徴とするディジタル放送受信装置。
【請求項１２】
請求項９乃至請求項１１のいずれかに記載のディジタル放送受信装置において、前記地図データが格納される記録媒体を固定的に又は着脱自在に備えたことを特徴とするディジタル放送受信装置。
【請求項１３】
請求項１乃至請求項１２のいずれかに記載のディジタル放送受信装置において、現在受信中の番組に前記場所情報に加えて当該番組が紹介している内容の種別情報が付加されている場合にこの種別情報を取り出し、ユーザーが予め登録している登録種別情報に前記種別情報が一致する場合に、前記場所情報に基づく処理を実行するように構成されたことを特徴とするディジタル放送受信装置。
【請求項１４】
請求項５乃至請求項１３のいずれかに記載のディジタル放送受信装置において、前記場所情報と前記受信装置の位置情報とに基づいて当該受信装置から前記場所情報が示す場所までの距離を算出する手段を備え、前記算出した距離がユーザーが予め登録している距離の範囲内である場合に、前記場所情報に基づく処理を実行するように構成されたことを特徴とするディジタル放送受信装置。
【請求項１５】
請求項１乃至請求項１２のいずれかに記載のディジタル放送受信装置において、前記場所情報を取得できた場合に、この取得できた場所情報に基づいた処理による画面表示が行える旨のメッセージ表示を行い、ユーザーが画面表示を許可する操作を行ったときに放送受信映像と共に又は放送受信映像に代えて前記画面表示を行うように構成されたことを特徴とするディジタル放送受信装置。
【請求項１６】
請求項１３又は請求項１４に記載のディジタル放送受信装置において、前記場所情報を取得でき且つユーザーの登録内容に合致すると判断した場合に、前記取得できた場所情報に基づいた処理による画面表示が行える旨のメッセージ表示を行い、ユーザーが画面表示を許可する操作を行ったときに放送受信映像と共に又は放送受信映像に代えて前記画面表示を行うように構成されたことを特徴とするディジタル放送受信装置。
【請求項１７】
請求項１乃至請求項１６のいずれかに記載のディジタル放送受信装置において、前記場所情報を取得できた場合に、この取得できた場所情報を記録媒体に登録できる旨のメッセージ表示を行い、ユーザーが登録を許可する操作を行ったときに前記場所情報を前記記録媒体に記録するように構成されたことを特徴とするディジタル放送受信装置。
【請求項１８】
請求項１３又は請求項１４に記載のディジタル放送受信装置において、前記場所情報を取得でき且つユーザーの登録内容に合致すると判断した場合に、前記取得できた場所情報を記録媒体に記録するように構成されたことを特徴とするディジタル放送受信装置。
【請求項１９】
請求項１７又は請求項１８に記載のディジタル放送受信装置において、前記場所情報と共に番組の内容に関する情報を取得できたときには当該番組内容関連情報も記録するように構成されたことを特徴とするディジタル放送受信装置。
【請求項２０】
請求項１７乃至請求項１９のいずれかに記載のディジタル放送受信装置において、前記記録媒体に記録されている場所情報のリストをディスプレイに表示する手段を備えると共に、前記リストからユーザーによって選択された場所情報について、当該場所情報に基づく画面表示処理を実行するように構成されたことを特徴とするディジタル放送受信装置。
【請求項２１】
請求項２０に記載のディジタル放送受信装置において、前記記録媒体に記録されている少なくとも場所情報のリストをディスプレイに表示する手段を備えると共に、前記リストからユーザーによって選択された場所情報について、当該場所情報に基づく画面表示処理を実行するように構成されたことを特徴とするディジタル放送受信装置。
【請求項２２】
請求項１７乃至請求項２１のいずれかに記載のディジタル放送受信装置において、前記記録媒体は着脱可能に設けられていることを特徴とするディジタル放送受信装置。
【発明の詳細な説明】
【技術分野】
【０００１】
この発明は、ディジタル放送を受信するディジタル放送受信装置に関する。
【背景技術】
【０００２】
衛星や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像及び音声信号を出力する。
【０００３】
このようなディジタル放送では、従来のアナログ放送と同様に映像や音声を送信することに加え、ＥＰＧ（電子番組ガイド）などに利用される番組情報（番組名、番組開始時間、番組継続時間、番組内容情報、番組ジャンル情報等）も送信している（特許文献１参照）。更に、前記番組情報とは異なる他の情報も送信することが可能である。
【特許文献１】特開２００４−１８００８８号公報
【発明の開示】
【発明が解決しようとする課題】
【０００４】
放送局は、上記番組情報とは異なる他の情報を送信できるので、前記他の情報を受け取った受信装置においては、当該他の情報によってユーザーに更なる利便性を与えることが求められる。
【０００５】
この発明は、上記の事情に鑑み、放送局が送信する情報（番組情報とは異なる他の情報）を受け取ってユーザーに更なる利便性を与えることができるディジタル放送受信装置を提供することを目的とする。
【課題を解決するための手段】
【０００６】
この発明のディジタル放送受信装置は、上記の課題を解決するために、ディジタル放送を受信するディジタル放送受信装置において、現在受信中の番組に当該番組が紹介している内容に関連する場所を示す情報が付加されている場合にこの場所情報を取り出す手段と、ディスプレイに地図画像を表示するための描画データを地図データに基づいて作成する手段と、前記場所情報を取得できた場合に当該場所を含む描画対象地図データを取得する手段と、前記場所情報が示す地図上の位置をマーキングする画像データを前記描画対象地図データに基づいて作成された描画データに重畳して地図表示を行う手段と、を備えたことを特徴とする（以下、この項において第１構成という）。
【０００７】
上記の構成であれば、番組で紹介されている例えばお店の場所をディスプレイ上に表示された地図上で確認することが可能になる。
【０００８】
前記第１構成のディジタル放送受信装置において、ネット接続機能を備えており、前記地図データ又は描画対象地図データをネット上の特定のサイトから取得することとしてもよい。前記第１構成又はこれに従属するディジタル放送受信装置において、前記地図データ又は描画対象地図データが放送波に載せられているときには放送波から前記地図データ又は描画対象地図データを取得してもよい。前記第１構成又はこれに従属するディジタル放送受信装置において、前記地図データが格納される記録媒体を固定的に又は着脱自在に備えてもよい。
【０００９】
前記第１構成又はこれに従属するディジタル放送受信装置において、ユーザーが入力した情報に基づいて受信装置位置を認識するか又は時々刻々と変化する受信装置位置を検出する手段を備えていてもよい（以下、この項において第２構成という）。前記第２構成のディジタル放送受信装置において、当該受信装置の位置と前記場所情報とに基づいて、受信装置の位置から前記場所情報が示す場所へ行くための交通ルートをディスプレイに提示する手段を備えてもよい（以下、この項において第３構成という）。前記第３構成のディジタル放送受信装置において、前記交通ルートの提示に必要なデータを保持する記憶手段と、前記データを用いて交通ルートの提示に必要な演算処理を実行する手段と、を備えていてもよい。或いは、前記第３構成のディジタル放送受信装置において、ネット接続機能を備えており、受信装置の位置と前記場所情報とをネット上の特定のサイトに送信し、このサイトから返された交通ルートのデータに基づいて前記交通ルートをディスプレイに提示するように構成されていてもよい。
【００１０】
また、この発明のディジタル放送受信装置は、ディジタル放送を受信するディジタル放送受信装置において、現在受信中の番組に当該番組が紹介している内容に関連する場所を示す情報が付加されている場合にこの場所情報を取り出す手段と、ディスプレイに地図画像を表示するための描画データを地図データに基づいて作成する手段と、時々刻々と変化する受信装置位置を検出する手段と、目的地へ導くためのルート案内を前記受信装置位置に基づいて行う手段と、を備えており、放送受信により得られた前記場所情報を目的地として前記ルート案内を実行するように構成されたことを特徴とする（以下、この項において第４構成という）。
【００１１】
上記の構成であれば、番組で紹介されている例えばお店の場所へと導くようにルート案内が実行される。ディスプレイ上に表示された地図上で確認することが可能になる。
【００１２】
第４構成のディジタル放送受信装置において、ネット接続機能を備えており、前記地図データ又は描画対象地図データをネット上の特定のサイトから取得することとしてもよい。第４構成又はこれに従属するディジタル放送受信装置において、前記地図データ又は描画対象地図データが放送波に載せられているときには放送波から前記地図データ又は描画対象地図データを取得することとしてもよい。第４構成又はこれに従属するディジタル放送受信装置において、前記地図データが格納される記録媒体を固定的に又は着脱自在に備えていてもよい。
【００１３】
また、これら構成のディジタル放送受信装置において、現在受信中の番組に前記場所情報に加えて当該番組が紹介している内容の種別情報が付加されている場合にこの種別情報を取り出し、ユーザーが予め登録している登録種別情報に前記種別情報が一致する場合に、前記場所情報に基づく処理を実行するように構成されていてもよい（以下、この項において第５構成という）。
【００１４】
或いは、前述した受信装置位置を認識又は検出できる構成において、前記場所情報と前記受信装置の位置情報とに基づいて当該受信装置から前記場所情報が示す場所までの距離を算出する手段を備え、前記算出した距離がユーザーが予め登録している距離の範囲内である場合に、前記場所情報に基づく処理を実行するように構成されていてもよい（以下、この項において第６構成という）。
【００１５】
また、これらの構成において（前記第５構成及び第６構成は除く）、前記場所情報を取得できた場合に、この取得できた場所情報に基づいた処理による画面表示が行える旨のメッセージ表示を行い、ユーザーが画面表示を許可する操作を行ったときに放送受信映像と共に又は放送受信映像に代えて前記画面表示を行うように構成されたことを特徴とする。
【００１６】
また、前記第５構成又は第６構成のディジタル放送受信装置において、前記場所情報を取得でき且つユーザーの登録内容に合致すると判断した場合に、前記取得できた場所情報に基づいた処理による画面表示が行える旨のメッセージ表示を行い、ユーザーが画面表示を許可する操作を行ったときに放送受信映像と共に又は放送受信映像に代えて前記画面表示を行うように構成されていてもよい。
【００１７】
また、これら構成のディジタル放送受信装置において、前記場所情報を取得できた場合に、この取得できた場所情報を記録媒体に登録できる旨のメッセージ表示を行い、ユーザーが登録を許可する操作を行ったときに前記場所情報を前記記録媒体に記録することとしてもよい（以下、この項において第７構成という）。
【００１８】
また、前記第５構成又は第６構成のディジタル放送受信装置において、前記場所情報を取得でき且つユーザーの登録内容に合致すると判断した場合に、前記取得できた場所情報を記録媒体に記録することとしてもよい（以下、この項において第８構成という）。
【００１９】
前記第７構成又は第８構成のディジタル放送受信装置において、前記場所情報と共に番組の内容に関する情報を取得できたときには当該番組内容関連情報も記録するように構成されていてもよい（以下、この項において第９構成という）。
【００２０】
前記７構成、第８構成、又は第９構成のディジタル放送受信装置において、前記記録媒体に記録されている場所情報のリストをディスプレイに表示する手段を備えると共に、前記リストからユーザーによって選択された場所情報について、当該場所情報に基づく画面表示処理を実行することとしてもよい（以下、この項において第１０構成という）。
【００２１】
前記第１０構成のディジタル放送受信装置において、前記記録媒体に記録されている少なくとも場所情報のリストをディスプレイに表示する手段を備えると共に、前記リストからユーザーによって選択された場所情報について、当該場所情報に基づく画面表示処理を実行することとしてもよい。
【００２２】
前記第７構成乃至第１０構成のいずれか又はこれらに従属する構成のディジタル放送受信装置において、前記記録媒体は着脱可能に設けられていてもよい。
【発明の効果】
【００２３】
この発明によれば、現在受信中の番組で紹介しているお店の場所を地図上に表したり、当該お店に行くための交通ルートや道路案内を提示したりすることができる等の諸効果を奏する。
【発明を実施するための最良の形態】
【００２４】
以下、この発明の実施形態のディジタル放送受信装置を図１及び図２に基づいて説明する。
【００２５】
図１において、アンテナ１Ａ，１Ｂは、屋外において所定の方向に向けて配置されており、衛星や地上放送局から送られてくるディジタル放送信号を受信する。
【００２６】
ＢＳ／ＣＳディジタルチューナ２Ａ及び地上ディジタルチューナ２Ｂは、映像・音声データを含む高周波ディジタル変調信号のうちから特定周波数の信号を取り出す。また、チューナ２Ａ，２Ｂは、復調回路、逆インタリーブ回路、誤り訂正回路などを備えることにより、選択したディジタル変調信号を復調してトランスポート・ストリームを出力する。
【００２７】
ＭＰＥＧ−ＴＳデコーダ分離回路（以下、単にデコーダという）３は、前記トランスポートストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。デコーダ３は、ビデオストリームとオーディオストリームを入力するＡＶデコーダ部を有する。また、前記ＰＳＩ／ＳＩ等をＣＰＵ１３に供給する。なお、前述のごとく、トランスポートストリームには複数のチャンネルが多重化されており、このなかから任意のチャンネルを選択するための処理は、前記ＰＳＩ／ＳＩから任意のチャンネルがトランスポートストリーム中でどのパケットＩＤで多重化されているかといったデータを取り出すことで可能となる。また、トランスポートストリームの選定もＰＳＩ／ＳＩの情報に基づいて行うことができる。
【００２８】
前記ＡＶデコーダ部はビデオストリームに対してデコードを行うビデオデコーダ、オーディオストリームに対してデコードを行うオーディオデコーダから成る。ビデオデコーダは、入力された可変長符号を復号して量子化係数や動きベクトルを求め、逆ＤＣＴ変換や動きベクトルに基づく動き補償制御等を行う。オーディオデコーダは、入力された符号化信号を復号して音声データを生成する。映像データは映像処理部４に出力され、音声データは音声処理部５に出力される。
【００２９】
映像処理部４は、受信映像の映像データを受け取ってＤ／Ａ変換及びダウンデコード処理（メモリ１４内でフレームを形成する）を行い、例えばコンポジット映像信号に変換する。また、映像処理部４はＯＳＤ（オンスクリーンディスプレイ機能）を有し、ＣＰＵ１３から出力指示された文字情報や色情報に基づく映像を前記映像データに合成する。音声処理部５は、デコーダ３から出力された音声データを受け取って右（Ｒ）音データ及び左（Ｌ）音データを生成する。
【００３０】
映像信号はアンプ７を経て映像出力部１１に供給される。音声データはＤ／Ａ変換アンプ８を経てアナログ信号に変換されて音声出力部１２に入力される。映像出力部１１及び音声出力部１２には、図示しないＡＶ出力端子を介して図示しないディスプレイ及びスピーカが接続される。
【００３１】
メモリ（ＲＡＭ、ＥＥＰＲＯＭ、フラッシュメモリ、ＲＯＭ等）１４には、チューナ２Ａ，２Ｂから出力されるトランスポートストリームやデコーダ３から出力されるデコードデータが格納される。
【００３２】
リモコン送信機１５は、当該放送受信装置３０に指令を送出するための送信機である。このリモコン送信機１５に設けられたキーを操作すると、そのキーに対応した指令を意味する信号光（リモコン信号）が図示しない発光部から送出される。選局ＣＰＵ１６は、前記リモコン送信機１５のキーが操作されたときに出力される信号光を受光し、これを電気信号に変換してコード解析を行い、チャンネル選局指令をＣＰＵ１３に与える。
【００３３】
また、放送受信装置３０には、メモリカード用Ｉ／Ｆ（インターフェイス）１７が設けられており、このメモリカード用Ｉ／Ｆ１７を介してメモリカード１８を装着することができる。また、ＵＳＢ用Ｉ／Ｆ（インターフェイス）１９が設けられており、このＵＳＢ用Ｉ／Ｆ１９を介してＵＳＢメモリ２０を装着することができる。また、ハードディスクドライブ（ＨＤＤ）２３が装着されている。これら記憶手段のいずれか一つ又は幾つかには、地図データや交通ルート検索に用いられるデータが格納されている。前記地図データは、例えばカーナビゲーションシステムに用いることができるものであり、例えば経緯度情報によって地図上の地点を示すことができると共に、地上建物や道路地図などについての情報も有する。交通ルート検索に用いられるデータは、出発地と目的地とを入力すると、出発地から目的地までにたどり着くまでの交通手段（電車、バス等）を少なくとも提示できるためのデータである。勿論、前記交通手段の発着時刻データなどを有していてもよい。また、これら記憶手段のいずれか一つ又は幾つかには、場所情報が格納される。この場所情報については後で詳述する。
【００３４】
また、放送受信装置３０には、ＬＡＮ用Ｉ／Ｆ（インターフェイス）２１が設けられており、このＬＡＮ用Ｉ／Ｆ２１を介してＬＡＮカード２２を装着することができる。ＣＰＵ１３がウェブブラウザとなるとき、前記ＬＡＮカード２２を介してインターネット上のサイトに接続し、このサイトから各種の情報をダウンロードすることができる。前記各種の情報には地図データや交通ルートデータも含まれ、ダウンロードした地図データや交通ルートデータは前記記録手段に格納される。ＣＰＵ１３がウェブブラウザとなるとき、所定の情報を特定のサイトに送出することができる。そして、前記特定のサイトから返されたデータに基づく画像が前記ディスプレイに表示される。前記所定の情報には受信装置３０の位置情報（この位置情報については後で説明する）と前記場所情報とが含まれる。また、前記特定のサイトから返されたデータには描画対象地図データが含まれる。また、前記特定のサイトから返されたデータには交通ルートデータが含まれる。前記交通ルートデータは、例えば、装置位置情報が「東京の××町」で場所情報が「大阪の○○町」であるとすると、「東京駅→新大阪駅＝新幹線」「新大阪駅→大阪駅＝ＡＡ線」「大阪駅→○○駅＝ＢＢ線」といった内容となるデータである。勿論、所要時間や料金などを交通ルートデータに含めてもよい。
【００３５】
放送受信装置３０は、先述したデコーダ３によって放送波から各種の情報を分離する。前記各種の情報には、前記場所情報が含まれる。例えば、放送局は、「行列ができる店」といった番組で、飲食店や洋服販売のお店などを紹介するものとする。そして、放送局は、前記番組で紹介する店の場所（住所、郵便番号、電話番号、地名、最寄り駅、経緯度など）を示す情報を現在放送中の前記番組の放送波に載せる。この現在放送中の番組の放送波に載せられている前記番組で紹介するお店（勿論、お店に限るものではない）の場所を示す情報が前記場所情報となる。番組が火災等のニュースであれば、火災現場の場所情報が存在し、番組が旅の番組であれば、旅先の旅館や名所などの場所情報が存在することになる。なお、前記紹介する店が単に地図上のどのあたりかを示すだけであれば、前記場所を示す情報として郵便番号を用いればよいであろう。ただし、前記店に来させようとするのであれば、最寄り駅（特に、交通ルート検索において好適であろう）、住所や経緯度（特に、ナビゲーションシステムによるルート案内において好適であろう）を前記場所情報として送信するのがよい。
【００３６】
［ディジタル放送受信装置が据え置き型の場合に好適な例］
据え置き型のディジタル放送受信装置に対しては、一般に、設置当初にその設置場所の位置情報、すなわち装置位置情報（例えば、郵便番号など）を入力することが行われる。
【００３７】
（１）放送受信装置のＣＰＵ１３は、デコーダ３によって放送波から前記場所情報を分離すると、「場所情報が存在します。地図を表示しますか。」といったメッセージをＯＳＤ機能によってディスプレイに表示させ、ユーザーが「表示許可」に相当するキーを押下したかどうかを判断する。ＣＰＵ１３は、「表示許可」に相当するキーの押下を検出すると、放送受信映像と共に（例えば、ピクチャ・イン・ピクチャ機能などで）、或いは、放送受信映像に代えて地図をディスプレイに表示する。
【００３８】
（２）地図をディスプレイに表示するときには、例えばメモリカード１８などに格納されている地図データを読み出す。このとき、放送波から取得した場所情報を中心とした所定範囲の地図データを読み出す（以下、このように描画のために取り出された一部の地図データを描画対象地図データという）。更に、ＣＰＵ１３は、前記場所情報が示す地図上の位置をマーキングすることに相当する画像データ（例えば、単なる直径数ミリ程度の赤丸画像データ）を前記描画対象地図データに基づいて作成された描画データに重畳し、この重畳したデータをＯＳＤ機能によって映像信号化し、ディスプレイに地図表示を行う。勿論、先述したごとく、インターネットを用いて得られた描画対象地図データに基づいて作成された地図表示を行うこととしてもよい。また、前記地図データや描画対象地図データが放送波に載せられているときには放送波から前記地図データ又は描画対象地図データを取得することもできる。
【００３９】
（３）また、放送受信装置には先述のごとく装置位置情報が登録されているので、地図データを読み出すとき、放送波から取得した場所情報と前記装置位置情報の両方が含まれる範囲の地図データを読み出してもよい。そして、ＣＰＵ１３は、前記場所情報が示す地図上の位置をマーキングすることに相当する画像データ及び前記装置位置情報が示す地図上の位置をマーキングすることに相当する画像データを描画対象地図データに基づいて作成された描画データに重畳し、この重畳したデータをＯＳＤ機能によって映像信号化し、ディスプレイに地図表示を行うこととしてもよい。
【００４０】
また、地図表示とともに、「交通ルートを表示しますか」といったメッセージ表示を行うこととしてもよい。ＣＰＵ１３は、「交通ルートを表示する」に相当するキーの押下を検出すると、交通ルートを検索してディスプレイに交通ルートを表示する。交通ルートの検索に必要なデータは前記メモリカード１８などに格納しておけばよい。交通ルートの検索手法自体は特別である必要はなく、既存の交通ルート検索ソフトウェアを用いればよい。勿論、先述したごとく、インターネットを用いて得られた交通ルートデータに基づいて作成された画像表示を行ってもよい。
【００４１】
［ディジタル放送受信装置が移動型の場合に好適な例］
移動型のディジタル放送受信装置とするときには、時々刻々と変化する受信装置位置を検出するための機能（グローバルポジショニングシステム（ＧＰＳ）を用いることとすればよいが、これに限らず、道路沿いなどに設置したビーコンがその位置データを発信し、前記位置データを受信することで自身位置を把握する機能等を用いてもよい）を備えることとする。移動型のディジタル放送受信装置としては、手持ち型と車載型とがある。車載型とする場合には、ナビゲーションシステムを搭載しているのがよい。勿論、手持ち型でもナビゲーションシステムを搭載するのがよい。車載型の装置は、例えば、ディジタルチューナユニットとナビゲーションシステム（ＧＰＳ内蔵）とを備え、ディジタルチューナユニットが受信した映像及び音声をナビゲーションシステムを介して当該システムのＬＣＤモニタ及びスピーカに供給する構成を採用できる。また、ディジタルチューナユニットのシステムコントローラは、ナビゲーションシステムの制御部との間で情報（位置情報、制御情報など）を送受することもできる。勿論、映像表示用のモニタと地図表示用のモニタとを別々に備えてもよい。或いは、画面分割によって一つのモニタ上に映像と地図を表示する構成を採用してもよい。また、モニタ付きのディジタルチューナユニットが後部座席に設けられ、モニタ付きのカーナビゲーションシステムが運転席側に設けられる場合もあり、このような場合には、車内ＬＡＮ等によってディジタルチューナユニットとナビゲーションシステムとが情報の送受を行うようにしてもよい（このような分離型も本願のディジタル放送受信装置に含まれる）。また、ディジタルチューナユニットとナビゲーションシステムとを一体化した構成を採用してもよい（特開２００３−３２４３６１号公報参照）。
【００４２】
前述した（１）乃至（３）の処理は移動型のディジタル放送受信装置においても行うことができる。ただし、前記グローバルポジショニングシステムによって得られた位置情報を前記装置位置情報として用る。
【００４３】
（４）前記装置位置情報を現在位置とし、放送受信によって得られた場所情報を目的地としてカーナビゲーションを実行することとしてもよい。例えば、「場所情報が存在します。ナビゲーション表示を実行しますか。」といったメッセージをＯＳＤ機能によってディスプレイに表示させ、ユーザーが「ナビゲーション許可」に相当するキー（或いはタッチパネルのボタン）を押下したかどうかを判断する。ＣＰＵ１３は、「ナビゲーション許可」に相当するキー（或いはタッチパネルのボタン）の押下を検出すると、前記装置位置情報を現在位置とし、放送受信によって得られた場所情報を目的地としてカーナビゲーションを実行する。
【００４４】
［ディジタル放送受信機能付き携帯電話の場合に好適な例］
ディジタル放送受信機能付き携帯電話とするときには、時々刻々と変化する位置を検出するための機能として、携帯電話が繋がる基地局間の位置関係を利用して携帯電話の位置を検出するシステムを用いることができる。また、携帯電話用として提供されているナビゲーションシステムを利用して、前記場所情報を目的地としたナビゲーションを実行することができる。前述した（１）乃至（３）の処理はディジタル放送受信機能付き携帯電話においても行うことができる。ただし、時々刻々と変化する位置を検出するための機能によって得られた位置情報を前記装置位置情報として用る。ディジタル放送受信機能付き携帯電話において、ネット接続機能を備える場合には、インターネットを介して地図データなどを特定のサイトから取得することができる。
【００４５】
［共通的な処理］
現在受信中の番組に前記場所情報に加えて当該番組が紹介している内容の種別情報が付加されている場合にこの種別情報を取り出し、ユーザーが予め登録している登録種別情報に前記種別情報が一致する場合に、前述した場所情報に基づく処理を実行するように構成されていてもよい。
【００４６】
前記種別情報について以下に説明していく。例えば、現在放送中の番組の放送波に載せられている前記番組で紹介するお店（勿論、お店に限るものではない）がラーメン屋であれば、「ラーメン屋」といった種別情報が存在し、番組が火災等のニュースであれば、「火災現場」といった種別情報が存在し、番組が旅の番組であれば、「旅館」や「名所」などの種別情報が存在することになる。種別情報は文字情報に限るものではなく、例えば、「ラーメン屋」は「００１１」、「旅館」は「００１０」といったコード情報としてもよい。
【００４７】
放送受信装置３０の不揮発性メモリ（メモリ１４等）にユーザー登録情報が格納される。このユーザー登録情報として種別情報を登録することができる。登録された種別情報を以下登録種別情報という。登録種別情報は、キー操作により入力された文字情報によって登録してもよいし、予め多数登録してあるリストから選択してもよいし、別途存在する表（例えば、取り扱い説明書中の表）に記載されている種別情報−コード表といったテーブルからコードを知得してこのコードの番号を入力するようにしてもよい。
【００４８】
放送受信装置３０のＣＰＵ１３は、前述のごとく、現在放送番組が紹介している内容の種別情報が付加されている場合にこの種別情報を取り出し、ユーザーが予め登録している登録種別情報に前記種別情報が一致する場合に、前記場所情報に基づく処理を実行することになる。例えば、登録種別情報として「ラーメン屋」が登録されていないのであれば、番組でラーメン屋の紹介がなされても、その場所情報に基づく処理（場所情報が存在する旨のメッセージ表示、場所情報に基づく地図のディスプレイ表示、ルート案内、場所情報の記憶等）は実行されない。
【００４９】
ＣＰＵ１３は、前記場所情報と放送受信装置３０の位置情報とに基づいて当該受信装置３０から前記場所情報が示す場所までの距離を算出し、この算出した距離がユーザーが予め登録している距離の範囲内である場合に、前記場所情報に基づく処理を実行してもよい。例えば、ユーザーが「現在位置から１０ｋｍの範囲」を登録している場合において、番組で紹介されているラーメン屋が現在位置から１１ｋｍの地点に在るとすれば、その場所情報に基づく処理（場所情報が存在する旨のメッセージ表示、場所情報に基づく地図のディスプレイ表示、ルート案内、場所情報の記憶等）は実行されない。
【００５０】
勿論、登録種別情報に受信種別情報が一致し且つ「現在位置から１０ｋｍの範囲」といったアンド条件で前記メッセージ表示等を行うこととしてもよい。
【００５１】
なお、ＣＰＵ１３は、前記場所情報を取得でき且つユーザーの登録内容（上述した登録種別情報や登録距離）に合致すると判断した場合に、前記取得できた場所情報に基づいた処理による画面表示が行える旨のメッセージ表示を行い、ユーザーが画面表示を許可する操作を行ったときに放送受信映像と共に又は放送受信映像に代えて前記画面表示を行うこととしてもよい。前記メッセージ表示の具体例としては、例えば、図２（ａ）に示しているように、「場所情報が存在します」、「地図を表示」、「ナビゲーション実行」などが相当する。そして、「地図を表示」、「ナビゲーション実行」「終了」はボタンとして機能させており、ハイライト箇所をリモコン送信機の方向キー（矢印キー）で操作して所望のボタン上にハイライトを移動させ、決定ボタンを押すことで、ユーザーが望む処理を実行させることができる。なお、各ボタンの左側に表記されている番号のキーを操作することでも処理選択が行える。また、図２では、種別情報で得られた内容である「ラーメン屋」といった内容も表示している。そして、例えば、「地図を表示」が選択されると、図２（ｂ）に示すように、ピクチャ・イン・ピクチャ機能等によって画面右下位置に地図を表示する。なお、例示の地図では、受信装置位置を現在位置として表示している。
【００５２】
また、ＣＰＵ１３は、前記場所情報を取得できた場合に、この取得できた場所情報を記録媒体（メモリカード１８等）に登録できる旨のメッセージ表示を行い、ユーザーが登録を許可する操作を行ったときに前記場所情報を前記記録媒体に記録するようにしてもよい。また、ＣＰＵ１３は、前記場所情報を取得でき且つユーザーの登録内容（上述した登録種別情報や登録距離）に合致すると判断した場合に、前記取得できた場所情報を記録媒体（メモリカード１８等）に記録するようにしてもよい。更に、前記場所情報と共に番組の内容に関する情報を取得できたときには当該番組内容関連情報（例えば、店名、営業時間、休業日など）も記録してもよい。
【００５３】
上記場所情報等の記録を行ったときには、ＣＰＵ１３は、ユーザーの所定キーの操作を検出したときに、前記記録媒体（メモリカード１８等）に記録されている場所情報のリストをディスプレイに表示することとしてもよい。更に、ＣＰＵ１３は、前記リストからユーザーによって選択された場所情報について、当該場所情報に基づく画像表示処理（場所情報に基づく地図のディスプレイ表示、ルート案内等）を実行するようにしてもよい。勿論、前記番組内容関連情報が存在するときには、場所情報と番組内容関連情報とからなるリストをディスプレイに表示すればよい。
【００５４】
［場所情報、種別情報、番組内容関連情報の放送波への挿入］
例えば、ＡＲＩＢ  ＳＴＤ−Ｂ１０において、テーブルの識別子及び送出の基準が記述されている。事業者が設定するテーブルのテーブルＩＤ値は、０ｘ９０以上０ｘＢＦ以下の範囲内で設定することができる。そのテーブルＩＤ値は事業者信号として登録・公開される。テーブルＩＤ値が０ｘ４Ｆ〜０ｘ６Ｆにおいて、ＥＩＴ（自ストリームの現在と次の番組）等のテーブル（以下、テーブルＡという）が存在している。また、記述子の識別子として、記述子タグ値の割り当てが行われている。タグ値が０ｘＣ６の記述子は対象地域記述子となる（以下、記述子Ｂという）。テーブルと記述子はマトリックスで表示され、前記テーブルＡと記述子Ｂとを用いて位置情報や種別データを挿入することができる。また、タグ値拡張のための複合記述子が用意されている。使用可能な記述子の個数を増やす必要がある場合、所定の方法を用いて記述子を符号化する。複合記述子のなかには、副記述子を１個配置する。前記副記述子のタグに地域情報記述子を入れる。例えば、”００”→北海道（０バイトから）、”０１”→青森県（１バイトから）、といった具合である。すなわち、上記の”００”で示されるバイト位置に北海道の情報が格納される。放送局側では、札幌市の或るラーメン屋を紹介する番組を放送するときには、上記の”００”で示されるバイト位置に存在する北海道用のデータ格納領域（所定バイトの容量が確保されている）に前記ラーメン屋の住所や経緯度などの場所情報、及びラーメン屋を示す種別情報を入れることになる。受信装置は上記例の場合であれば、各都道府県用のデータ格納領域中のデータの有無を判断して現時点で取得できたデータによって現在放送中の番組で紹介されている店等の場所情報や種別情報を取得することができる。勿論、その他の番組関連情報も挿入されていればそれを取得できる。また、現在放送中の番組で紹介されている店等の場所情報や種別情報等を放送波に載せる新たな規格ができたならば、放送受信装置はその規格に従って現在放送中の番組で紹介されている店等の場所情報や種別情報等を取得すればよいことになる。
【図面の簡単な説明】
【００５５】
【図１】この発明の実施形態のディジタル放送受信装置を示したブロック図である。
【図２】現在受信中の番組で紹介しているお店へのルート案内を行うときの画面表示を示した説明図である。
【符号の説明】
【００５６】
２Ａ    ＢＳ／ＣＳディジタルチューナ
２Ｂ    地上ディジタルチューナ
３      ＭＰＥＧ−ＴＳデコーダ分離回路
４      映像処理部
５      音声処理部
１３    ＣＰＵ
１５    メモリ
【図１】
2007027998.tif 000003
【図２】
2007027998.tif 000004